(57)【要約】 【課題】  画像読取装置の白基準板や露光走査光学系中におけるごみ付着の有無を確実に検知する。【解決手段】  原稿を光学的に読み取るＣＣＤ７を備えた画像読み取り装置において、白色基準を検出するための第１の白板と、前記第１の白板とは異なる位置に設けられる第２の白基準板３２と、前記第１及び第２の白基準板に照射される照明光の反射光をＣＣＤ７により光学的に読み取り、ＣＣＤ７からの前記第１及び第２の白基準板の読み取りデータを比較し、第１及び第２の白板上を含む読み取り光学系の光路上の異物の有無を検出するようにした。【選択図】  図４
2005065033.tif 000002
【特許請求の範囲】
【請求項１】
読み取り素子により原稿を光学的に読み取る読み取り手段を備えた画像読み取り装置において、
白色基準を検出するための第１の白板と、
前記第１の白板とは異なる位置に設けられる第２の白板と、
前記第１及び第２の白板に照射される照明光の反射光を前記読み取り手段により光学的に読み取り、前記読み取り手段から得られた前記第１及び第２の白板の読み取りデータを比較し、第１及び第２の白板上を含む読み取り光学系の光路上の異物の有無を検出する制御手段と、
を備えていることを特徴とする画像読み取り装置。
【請求項２】
前記制御手段は、前記第１の白板と前記第２の白板との検出データが異なる場合には、いずれかの白板上に異物が存在すると判断することを特徴とする請求項１記載の画像読み取り装置。
【請求項３】
前記制御装置は、前記第１の白板上に異物の存在を検出し、前記第２の白板上の前記第１の白板上で異物が検出された位置に対応する位置で異物が検出されなかったときには、前記第１の白板上で異物を検出した位置に異物が存在すると判断することを特徴とする請求項２記載の画像読み取り装置。
【請求項４】
前記制御手段は、前記第１の白板と前記第２の白板との検出データが同一の場合には、前記第１及び第２の白板を除く検出光路上に異物が存在すると判断することを特徴とする請求項１記載の画像読み取り装置。
【請求項５】
前記制御手段は、異物が検出されたとき、異物の存在する個所を指定してその旨表示手段に表示させることを特徴とする請求項１ないし４のいずれか１項に記載の画像読み取り装置。
【請求項６】
前記第１の白板と前記第２の白板とは同等の濃度に設定されていることを特徴とする請求項１ないし４のいずれか１項に記載の画像読み取り装置。
【請求項７】
前記第２の白板は非使用時には取り外しできるように設けられていることを特徴とする請求項１ないし４のいずれか１項に記載の画像読み取り装置。
【請求項８】
前記読み取り素子が１次元配列された複数の光電変換素子を有するラインセンサからなることを特徴とする請求項１記載の画像読み取り装置。
【請求項９】
請求項１ないし８のいずれか１項に記載の画像読み取り装置と、
前記画像読取装置によって読み取った画像データに基づいて媒体上に可視画像を形成する画像形成手段と、
を備えていることを特徴とする画像形成装置。
【請求項１０】
請求項１ないし４のいずれか１項に記載の画像読み取り装置の制御手段の機能をコンピュータで実行するための手順を含んでいることを特徴とするコンピュータプログラム。
【請求項１１】
請求項１０記載のコンピュータプログラムがコンピュータによって読み取られ、実行可能に記録されていることを特徴とする記録媒体。
【請求項１２】
請求項１ないし８のいずれか１項に記載の画像読み取り装置の前記制御手段に工程管理コントロール装置を接続し、
前記工程管理コントロール装置から前記制御手段に対して前記第１及び第２の白板の読み取りを実行させ、
前記読み取り手段からの読み取りデータに基づいて前記制御手段に光源の交換の是非および／または異物の有無を判断させ、
前記制御装置は判断結果を前記工程管理コントロール装置に送信することを特徴とする画像読取装置の検査方法。
【請求項１３】
前記工程管理コントロール装置は前記制御手段から受信した判断結果に基づいて、表示装置に所定の表示を行うことを特徴とする請求項１２記載の画像読取装置の検査方法。
【請求項１４】
前記工程管理コントロール装置は、前記画像読み取り装置の組立工程を管理することを特徴とする請求項１２または１３記載の画像読み取り装置の検査方法。
【発明の詳細な説明】
【技術分野】
【０００１】
本発明は、原稿の画像を読み取る画像読み取り装置、画像読み取り装置を備えた画像形成装置、画像読み取り装置の機能を実現するためのコンピュータプログラム、このコンピュータプログラムを記録した記録媒体及び前記画像読み取り装置の検査方法に関する。
【背景技術】
【０００２】
イメージスキャナ、ファクシミリ、複写機等の画像形成装置においては、原稿に光を照射し、その反射光をラインセンサ等により光電変換して画像データ信号として取り出す画像読み取り装置が用いられている。このような画像読み取り装置においては、原稿を照明する光源に光量ばらつきがあることは良く知られている。このため、読み取り装置側として光源のばらつきに応じて、調整処理を行ない、機器個々の調整により、ある程度の光量ばらつきを吸収する等の方法が講じられている。
【０００３】
なお、本願発明と直接的な関連はないが、読み取り素子の制御の参考技術として下記の特許文献１および２を挙げておく。
【特許文献１】特開平８−２３７４７８号公報
【特許文献２】特開平９−１４９２７１号公報
【発明の開示】
【発明が解決しようとする課題】
【０００４】
しかしながら、絶対光量の不足している機器で光量ばらつきの調整を行なうと、一見光量が足りているかの挙動を示すため、そのままでは画像品質が保てない機器を作り出してしまう可能性がある。また、光量が足りない場合には、シェーディング補正等に用いるために設けられた白基準板に付着しているごみによる反射光量の低下が、光量の足りている場合に比べて低くなるため見逃しやすくなる。ごみ検知は白基準板を読み取った画像濃度でごみの有無を判断するため、読取に用いるラインセンサに使用の１画素毎の光電変換素子がＣＣＤの場合にはフォトダイオードの感度ばらつきも含まれる。したがって、画像読み取り装置の組立時にはゴミ検知を確実に行うことが要望されている。
【０００５】
本発明はこのような従来技術の実情に鑑みてなされたもので、その目的は、白基準板や露光走査光学系中のごみ付着の有無を確実に検知することにある。
【０００６】
また、他の目的は、画像読み取り装置の組立時の検査工程で、白基準板や露光走査光学系中のごみ付着の有無を確実に検知することができるようにすることにある。
【課題を解決するための手段】
【０００７】
前記目的を達成するため、第１の手段は、読み取り素子により原稿を光学的に読み取る読み取り手段を備えた画像読み取り装置において、白色基準を検出するための第１の白板と、前記第１の白板とは異なる位置に設けられる第２の白板と、前記第１及び第２の白板に照射される照明光の反射光を前記読み取り手段により光学的に読み取り、前記読み取り手段から得られた前記第１及び第２の白板の読み取りデータを比較し、第１及び第２の白板上を含む読み取り光学系の光路上の異物の有無を検出する制御手段とを備えていることを特徴とする。
【０００８】
第２の手段は、第１の手段において、前記制御手段は、前記第１の白板と前記第２の白板との検出データが異なる場合には、いずれかの白板上に異物が存在すると判断することを特徴とする。
【０００９】
第３の手段は、第２の手段において、前記制御装置は、前記第１の白板上に異物の存在を検出し、前記第２の白板上の前記第１の白板上で異物が検出された位置に対応する位置で異物が検出されなかったときには、前記第１の白板上で異物を検出した位置に異物が存在すると判断することを特徴とする。
【００１０】
第４の手段は、第１の手段において、前記制御手段は、前記第１の白板と前記第２の白板との検出データが同一の場合には、前記第１及び第２の白板を除く検出光路上に異物が存在すると判断することを特徴とする。
【００１１】
第５の手段は、第１ないし第４の手段において、前記制御手段は、異物が検出されたとき、異物の存在する個所を指定してその旨表示手段に表示させることを特徴とする。
【００１２】
第６の手段は、第１ないし第４の手段において、前記第１の白板と前記第２の白板とは同等の濃度に設定されていることを特徴とする。
【００１３】
第７の手段は、第１ないし第４の手段において、前記第２の白板は非使用時には取り外しできるように設けられていることを特徴とする。
【００１４】
第８の手段は、第１の手段において、前記読み取り素子が１次元配列された複数の光電変換素子を有するラインセンサからなることを特徴とする。
【００１５】
第９の手段は、第１ないし第８の手段に係る画像読み取り装置と、前記画像読取装置によって読み取った画像データに基づいて媒体上に可視画像を形成する画像形成手段とを備えていることを特徴とする。
【００１６】
第１０の手段は、第１ないし第４の手段に係る画像読み取り装置の制御手段の機能をコンピュータで実行するための手順を含んでコンピュータプログラムを構成したことを特徴とする。
【００１７】
第１１の手段は、第１０の手段に係るコンピュータプログラムがコンピュータによって読み取られ、実行可能に記録媒体に記録されていることを特徴とする。
【００１８】
第１２の手段は、第１ないし第８の手段に係る画像読み取り装置の前記制御手段に工程管理コントロール装置を接続し、前記工程管理コントロール装置から前記制御手段に対して前記第１及び第２の白板の読み取りを実行させ、前記読み取り手段からの読み取りデータに基づいて前記制御手段に光源の交換の是非および／または異物の有無を判断させ、前記制御装置は判断結果を前記工程管理コントロール装置に送信し、画像読取装置を検査することを特徴とする。
【００１９】
第１３の手段は、第１２の手段において、前記工程管理コントロール装置は前記制御手段から受信した判断結果に基づいて、表示装置に所定の表示を行うことを特徴とする。
【００２０】
第１４の手段は、第１２または第１３の手段において、前記工程管理コントロール装置は、前記画像読み取り装置の組立工程を管理することを特徴とする。
【００２１】
なお、以下の実施の形態において、第１の白板はシェーディング補正用の白基準板１５に、第２の白板はもう１つの白基準板（第２白基準板)３２に、制御手段はＣＰＵ１６、シェーディング補正演算回路４６あるいはごみ検出処理部５３に、異物はごみにそれぞれ対応する。
【発明の効果】
【００２２】
本発明によれば、白基準板と同等の濃度を有し、白基準板とは異なる位置に配設された白板と設け、両者の読取結果を対比するので、確実に白基準板や露光走査光学系中のごみ付着の有無を検知することができる。
【発明を実施するための最良の形態】
【００２３】
以下、図面を参照し、本発明の実施例について説明する。  
図１は本発明の実施例に係るイメージスキャナの概略構成を示す図、図２は読み取られた画像データの処理を行う制御回路の構成を示すブロック図、図３は画像データ処理部の構成を示すブロック図、図４はブックモードにより画像データの読み取りを行なう場合を説明する図、図５はＡＤＦモードにより画像データの読み取りを行なう場合を説明する図である。
【００２４】
イメージスキャナ１は、図１に示すように、装置本体の右側上部に自動給紙装置２（ＡＤＦ）が設けられ、装置本体の上面にはコンタクトガラスである原稿読み取り台３が設けられている。原稿読み取り台３の下方の装置本体の内部には、光源４ａとミラー４ｂとを備えた第１の走行体４と、ミラー５ａ，５ｂを備えた第２の走行体５と、レンズ６と１次元の光電変換素子を備えたラインセンサであるＣＣＤ７と、第１の走行体４及び第２の走行体５を駆動するステッピングモータ８とからなる露光走査光学系９が設けられている。自動給紙装置２には、ＡＤＦユニット１０と、原稿台１１とが設けられている。ＡＤＦユニット１０内には原稿を１枚ずつ送り出すためのステッピングモータ１２が備えられている。また、原稿読み取り台３の上部には、原稿押え板１４が回動自在に取り付けられており、原稿１３はその原稿押え板１４の下にセットされる。原稿読み取り台３の自動給紙装置２側の端部には、シェーディング補正用の白基準板１５が配置されている。なお、原稿読み取りモードとしては、図４に示すような原稿読み取り台３を用いて画像データの読み取りを行なうブックモードと、図５に示すような自動給紙装置２を用いて画像データの読み取りを行なうＡＤＦモードとがある。
【００２５】
このスキャナ１は、複写機やファクシミリの読み取り装置として機能する場合には、例えば、装置本体の下方に、イメージスキャナ１によって得られた画像データに基づいてレーザ光を出力する画像書込み部と、この画像書込み部からのレーザ光により感光体に静電潜像を形成し、現像装置によってトナー現像して顕像化する画像形成部と、複数の給紙カセットを備え、画像形成部に給紙カセット内の用紙を給送する給紙装置等が設けられる。これらの構成は周知なので、図示及び詳細な説明は省略する。
【００２６】
上述の露光走査光学系９により読み取られた画像データは、図２に示す制御装置によって処理される。この制御装置は、光源４ａ、ＣＣＤ７、ステッピングモータ８、１２等を制御するＣＰＵ１６と、読み取られた画像データを処理する画像処理部１９と、２値化された画像データを記憶するスキャンバッファ２５と、スキャンバッファ２５への画像データの入出力管理を行なうバッファコントローラ２７と、シェーディング補正用の基準データ等を記憶するラインバッファ３１等から構成されている。制御装置のこれらの動作及び更に詳細な構成を、図４示すブックモードにおける原稿データの読み取りの基本動作とともに説明する。
【００２７】
原稿１３を原稿押え板１４下の原稿読み取り台３上にセットした後、操作パネル（図示しない）の読み取り開始ボタンを押すと、ＣＰＵ１６は光源点灯装置（光源ドライバ）１７を動作させて光源４ａをオンにする。次に、ＣＣＤ駆動部１８により駆動されるＣＣＤ７で白基準板１５を読み取り、画像処理部１９内のＡ／Ｄコンバータ（図示せず）でアナログディジタル変換を行ない、画像データのシェーディング補正用の基準データとしてラインバッファ３１に記憶する。ＣＰＵ１６はまた、モータドライバ２０を介してステッピングモータ８を動作させる。これにより、第１の走行体４は、原稿１３のある方向へ移動する。第１の走行体４が原稿面を一定速度で走査することにより、その原稿１３の画像データがＣＣＤ７により光電変換される。光電変換されたアナログビデオ信号は画像処理部１９において、シェーディング補正や各種の画像データ処理を行った後、２値化データとしてバッファコントローラ２７に出力され、バッファコントローラ２７はスキャンバッファ２５への画像データの入出力管理を行なう。Ｉ／Ｆコントローラ２６は、スキャンバッファ２５内のデータを外部のホストコンピュータ（図示せず）等の装置に出力する制御を行なう。
【００２８】
図３は、最も基本的な画像処理部１９の内部の構成を示すものであり、光電変換されたアナログビデオ信号ａは、アナログビデオ処理部２１でディジタル変換の処理まで行なわれた後、さらに、シェーディング補正処理部２２、画像データ処理部２３により、それぞれシェーディング補正、各種の画像データ処理が行われる。画像データ出力部２４では、２値化処理して画像データとして出力するが、その際、所望とする２値化処理された２値化データｂを作成する。なお、ここでは２値化処理部として例を示しているが、多値処理でも同様である。２３ａはタイミング発生部で、画像データ処理部２３のデータ処理によってモータドライバ２０，２８にステップパルスを送り出す。
【００２９】
次に、図５に示すようなＡＤＦモードにおける画像データ読み取りの基本動作について述べる。この場合にも、まず、白基準板１５が読み込まれた後、ステッピングモータ１２をＣＰＵ１６がモータドライバ２８でを介して駆動することにより、原稿台１１にセットされた原稿１３は分離ローラ２９、搬送ローラ３０によって搬送され、第１の走行体４の所定の読み取り位置まで搬送される。この時、原稿１３は一定速度で搬送され、第１の走行体４は停止したままで原稿面の画像データをＣＣＤ７で読み取る。以下、ブックモードと同様の処理を行ない、２値化された画像データ、或いは多値画像データはスキャンバッファ２５に記憶され、Ｉ／Ｆコントローラ２６を介してホストコンピュータ等に送られる。
【００３０】
次に図６及び図７により、シェーディング補正について説明する。
【００３１】
図６は白基準板によるシェーディング補正を行う構成を示すブロック図、図７はシェーディング補正演算回路部分の詳細な構成を示すブロック図である。本実施例においては、図６に示すように、光源４ａより原稿読み取り台３上にある原稿１３を照らし、反射光をシェーディング調整板４１を通してレンズ６によって集光し、ラインセンサであるＣＣＤ７に結像する構成としている。なお、図６では、説明簡単化のために、反射光を折り返すためのミラーは省略している。シェーディング調整板４１は、ＣＣＤ７の中央部と端部とでの反射光量の差を無くすための光量調整の役割を果たすものである。これはシェーディング演算処理において、ＣＣＤ７の中央部と端部で反射光量の差が有り過ぎると、多分に歪を含んだ演算結果しか得られないために、予め反射光量の差を無くした後に、シェーディング演算処理を行なうためのものである。
【００３２】
図７はシェーディング調整板４１の機能を示すもので、（ａ）はシェーディング調整板が無い場合、(ｂ）はシェーディング調整板４１を用いた場合のレベル分布例を示している。（ａ）は白基準板１５のビデオデータを読み込んだ際の再現レベル分布である。このように中央部のレベルが高く、端部でレベルが落ちる。（ｂ）はシェーディング調整板４１を用いた際のレベル分布例であり、中央部のレベルが高くなったり、端部でレベルが落ちることはない。
【００３３】
図６において、ＣＣＤ７で光電変換をした後のアナログ画像データは、プリアンプ回路４２で増幅した後、可変増幅回路４３に印加される。可変増幅回路４３はゲインコントロールによってゲイン設定を切換えるのであるが、光源の光量を測定するためにはゲインコントロールデータを一定に保った上で、増幅処理を行なう必要がある。ゲイン設定を一定に保つことにより、光源４ａの光量レベルを絶対評価することができる。ゲインコントロール値は予め、光源４ａの光量を測定するために適した値を設定する。可変増幅回路４３によって増幅された白基準板１５を読取ったビデオデータを、Ａ／Ｄコンバータ４４によりディジタル化する。ディジタル化されたデータは、次段の黒補正演算回路４５に入力され、不要な黒側のオフセット成分が演算処理によって取り除かれ、次段のシェーディング補正演算回路４６に入力される。特に詳しくは書かないが、この際の黒側のオフセット分には、ＣＣＤ７からの出力が２チャンネル構成の場合、チャンネル間の差分を含んでいる。ここでの演算処理は、特にはチャンネル間の差分成分を除くのが大きな目的である。シェーディング補正演算のためには、白基準板１５を読取った基準データを図２のラインバッファ３１に記憶し、実際の原稿読み取りの際には、この基準データと原稿読み取りデータ間でシェーディング演算処理を行ない、画像データとして次段処理部に出力する。シェーディング補正演算回路４６において、白基準データを読取ったデータはピーク検出処理が行われる。
【００３４】
このように、図６のブロック図に示した例では、ここでピークホールド処理を行なって白基準板１５を読取った際のピークデータを求め、このピークデータを可変増幅回路４３のゲインコントロール信号として可変増幅回路４３に設定することにより、適正な増幅処理を行なう構成になっている。なお、前述の様にここでは光源光量を検出するのが目的であるため、ピークデータを可変増幅回路４３に送ることなく、白基準板１５を読取った際のピークホールドデータを求める。このピークホールドデータが現在使用している光源の光量を示すデータとなる。光量が少なければこのデータの値は小さくなり、光量が多ければこのデータは大きくなる。なお得られたピークホールドデータはレジスタに格納し、システムをコントロールするＣＰＵ１６によって読み出し可能な構成とする。
【００３５】
図８は図６のシェーディング補正演算回路４６におけるピークホールド処理部周辺回路ブロック図であり、本実施例では、白基準データ平均化処理部５１、ラインバッファ５２、ごみ検出処理部５３、白基準光量不足検知レジスタ５４、ピークホールド処理部５５、ピークホールドデータ格納レジスタ５６、シェーティング演算処理部５７とを有している。白基準データ平均化処理部５１の次段に、ピークホールド処理部５５を持っているが、平均化処理はシェーディング補正用の基準データを平均化するための回路であるため、ここでの光量検出処理には機能させない。平均化処理を行なうことなく、次段のピークホールド処理部５５にて白基準データを読取ったデータのピークホールド処理を行なう。ピークホールドを行なって得られたデータは、ピークホールドデータ格納レジスタ５６に格納され、システムを制御するＣＰＵ１６から読み取ることができる。以上の構成、処理により搭載している光源の光量を検出することができる。
【００３６】
上述した光源の光量を検出する機能を搭載したイメージスキャナ１の製造工程においては、イメージスキャナ１に対して光源の光量を検出処理させることによって、検査時に機器に搭載の光源の光量を検出することができる。図９は製造工程において各イメージスキャナの光源の光量を検出処理する場合を示す図である。同図に示すように、製造ラインに設けた工程管理コントローラ６１によって各イメージスキャナ１のＣＰＵ１６を操作して光源４ａの光量を検出するようにすればよい。
【００３７】
この光量を検出する処理と同時に白基準板１５にごみが付着していないかどうかを検出する。これは光量検出のピークホールド処理と同様に、白基準データ中の反射光量が不足している部位を検出スレッシュ値と比較処理を行なうことにより、白基準データとしてレベルの足りていない部位を検出する。この検出結果はピークホールド検出により得られたデータと同様に、白基準光量不足検知レジスタ５４に格納する。このレジスタ値はシステムを制御するＣＰＵ１６から読み取ることができる。ここで、ごみがあると検出された場合、その判定結果の検証のために、更にごみ検出を行なうための別の白基準板の読み取りを行なう。
【００３８】
別の白基準板とは本来の白基準板１５とは別位置に設けた白基準板で、ごみの検知処理を行なうために使用する。具体的には、図１の白基準板１５は正規の白基準板である。この白基準板１５とは別に、図３に示すように原稿読み取り台３の原稿読み取り領域ではない位置に、もう１つの白基準板(以下、第２白基準板と称する)３２を設けている。この第２白基準板３２は、原稿読み取り台３の原稿走査方向に対して終端部側に設けられている。
【００３９】
ここで、正規の白基準板(以下、第１白基準板と称する)１５で検出したごみ位置と、第２白基準板３２を読み込んで検出処理をした場合のごみ検知位置を比較する。第２白基準板３２におけるごみ検知でごみが無いと判断された場合は第１白基準板１５にごみがあると判断する。また、第２白基準板３２でごみ検知処理を行なって、第１白基準板１５と同じ位置にごみがあると判断された場合、２つの白基準板で同じように同じ位置にごみがあるということになる。その場合、第１及び第２白基準板１５、３２を読んだ際にごみが検知されたが、同じ位置にごみがあるということで、白基準板以外にごみがあると判断される。これは別々の白基準板に同じ位置にごみがあると考えにくく、この読取装置中に共通使用している部分にごみがあると判断される。その場合、共通で使用している光学パスである露光走査光学系９中にごみがあることになり、ごみ付着は露光走査光学系９の折り返しに使用しているミラー４、５ａ、５ｂであると判断できる。
【００４０】
ここで、ごみ付着を検知した際にごみがあることを知らせる処理について説明する。  
まず光量検知による検知結果を示す表示処理を行なう。光量検出処理を行なって、そのイメージスキャナに現在搭載している光源４ａの光量を検出して、光量が規定値に満たない場合には光源４ａの交換を促す。この場合、図９に示した工程管理コントローラ６１より各イメージスキャナ１に対して光源光量の検出を指示する。指示を受け取った各イメージスキャナ１は機器内部で光源光量の検出処理を実施する。各イメージスキャナ１は光量を検出した結果をそれぞれの機器内部で持つピークホールドデータ格納レジスタ５６に格納し、その値はそれぞれの装置が持つＣＰＵ１６によって読み取ることができる。
【００４１】
それぞれのイメージスキャナ１において、光源４ａの交換が必要かどうかを判断する。なお、光源４ａの交換が必要かどうかの規定値は、イメージスキャナで持つか或いは工程管理コントローラ６１側で持ち、この規定値に対してデータの大小関係で交換が必要と判断した際には、図１０に示すように、工程管理コントローラ６１あるいは個々のイメージスキャナ１に設けられた液晶表示パネル７１に光源４ａの交換を促す表示を出すことにより、各イメージスキャナ１の読み取りに対する品質を保つことができる。なお、工程管理コントローラ６１に液晶表示パネル７１を設ける場合は、どのイメージスキャンであるかも表示するようにすればよい。なお、イメージスキャナ１側の制御はＣＰＵ１６が司る。
【００４２】
次にごみ検知処理結果により、ごみがある場合にはことを知らせる処理について説明する。  
この処理では、図９の工程管理コントローラ６１より各イメージスキャナ１に対して第１白基準板１５の付着するごみの検出を指示する。指示を受け取った各イメージスキャナ１は機器内部で第１白基準板１５に付着する前述のごみの検出処理を実施する。各装置はごみを検出した結果をそれぞれの機器内部で持つ白基準光量不足検知レジスタ５４に格納し、それぞれの装置が持つＣＰＵ１６はその値を読み取ることができる。
【００４３】
それぞれのイメージスキャナ１において、ごみ検出処理部５３で第１白基準板１５のごみの有無を判断する。なお、ごみの有無を判断する規定値はイメージスキャナ１で持つか或いは工程管理コントローラ６１側で設定にすればよく、この規定値に対してデータの大小関係で第１白基準板１５にごみが付着していると判断した際には、図１１に示すように、液晶表示パネル７１にごみがあることを指示する表示を出す。これにより、各イメージスキャナ１の読み取りに対する品質を保つことができる。なお、ゴミ検知表示は、上述したように、第１白基準板１５と第２白基準板３２の両方の検知処理を行なった上で、ごみが第１白基準板１５にあると判断された時に実行される。
【００４４】
第２白基準板３２でごみ検知処理を行なって、第１白基準板１５と第２白基準板３２とが同じ位置にごみがあると判断された場合は、上述したように、露光走査光学系９中にごみがあることになり、ごみ付着は露光走査光学系９の折り返しに使用しているミラー４、５ａ、５ｂであると判断できる。そこでミラーの清掃もしくはミラーの交換を促すため、図１２に示すように、ミラーにごみが付着していることを指示する表示を液晶表示パネル７１に表示すればよい。この処理により、ミラー４、５ａ、５ｂに付着しているごみを取り除けば、読み取り画像データ中にごみによるすじの発生がないデータを得ることができる。
【００４５】
上述した実施例においては、第２白基準板３２は原稿読み取り台３に固着されているが、この第２白基準板３２は製造工程においてのごみ検知のために設けられているものであるから、第２白基準板３２は原稿読み取り台３に着脱自在に設け、出荷段階で取り外すようにしてもよい。
【００４６】
なお、画像処理部１９を含む各種の制御を行う各部は、コンピュータプログラムによって構成することが可能である。コンピュータプログラムで構成したとき、あるいはＣＰＵが処理するプログラムはネットワークを介してサーバからダウンロードし、あるいはプログラムを記録した記録媒体から読み出してダウンロードすることにより使用され、あるいはバージョンアップすることが可能である。
【図面の簡単な説明】
【００４７】
【図１】本発明の実施例に係るイメージスキャナの概略構成を示す図である。
【図２】読み取られた画像データの処理を行う制御回路の構成を示すブロック図である。
【図３】画像データ処理部の構成を示すブロック図である。
【図４】ブックモードにより画像データの読み取りを行なう場合を示す説明図である。
【図５】ＡＤＦモードにより画像データの読み取りを行なう場合を示す説明図である。
【図６】白基準板を使用してシェーディング補正を行う構成を示すブロック図である。
【図７】白基準板のビデオデータを読み込んだ際の再現レベル分布を示す特性図で、（ａ）はシェーディング調整板が無い場合、(ｂ）はシェーディング調整板を用いた場合のレベル分布例を示している。
【図８】シェーディング補正演算回路部分の詳細な構成を示すブロック図である。
【図９】製造工程において各イメージスキャナの光源の光量を検出処理する場合を示す図である。
【図１０】光源の交換を促すメッセージの表示例を示す図である。
【図１１】白基準板上のごみを取り除くことを促すメッセージの表示例を示す図である。
【図１２】ミラー上のごみを取り除くことを促すメッセージの表示例を示す図である。
【符号の説明】
【００４８】
１  イメージスキャナ
２  自動給紙装置（ＡＤＦ）
３  原稿読み取り台
４ａ  光源
４ｂ、５ａ、５ｂ  ミラー
７  ＣＣＤ（ラインセンサ）
９  露光走査光学系
１３  原稿
１５  白基準板(第１）
１６  ＣＰＵ
１９  画像処理部
２５  スキャンバッファ
２７  バッファコントローラ
３１、５２  ラインバッファ
３２  白基準板(第２）
４５  黒補正演算回路
４６  シェーディング補正演算回路
５１  白基準データ平均化処理部
５３  ごみ検出処理部
５４  白基準光量不足検知レジスタ
５５  ピークホールド処理部
５６  ピークホールドデータ格納レジスタ
５７  シェーティング演算処理部
６１  工程管理コントローラ
７１  液晶表示パネル
【図１】
2005065033.tif 000003
【図２】
2005065033.tif 000004
【図３】
2005065033.tif 000005
【図４】
2005065033.tif 000006
【図５】
2005065033.tif 000007
【図６】
2005065033.tif 000008
【図７】
2005065033.tif 000009
【図８】
2005065033.tif 000010
【図９】
2005065033.tif 000011
【図１０】
2005065033.tif 000012
【図１１】
2005065033.tif 000013
【図１２】
2005065033.tif 000014